(57)【要約】【課題】キャパシター駆動を利用するディスプレーパネルの駆動回路の提供。【解決手段】キャパシター駆動を利用するディスプレーパネルの駆動回路は、アナログ/デジタル転換回路１２０によりインプット信号を転換し、デジタル信号を発生し、キャパシター１２２はデジタル信号を受信し駆動信号を発生してディスプレーパネル２０を駆動し、スイッチ回路はスイッチ信号に基づきアナログ/デジタル転換回路１２０を制御し、デジタル信号をキャパシター１２２に伝送し、或いはキャパシター１２２は駆動信号をディスプレーパネル２０に伝送し、こうしてキャパシター１２２駆動の方式により、ディスプレーパネル２０を駆動し、高いビット数の影像ニーズにおいて、ソースドライバー回路の面積を効果的に縮小することができ、コストを節減することができ、しかも表示装置の電源システムは、より大きい電圧範囲の応用において簡略化される。【選択図】図３
2010217888.tif 000002
【特許請求の範囲】
【請求項１】
アナログ/デジタル転換回路、キャパシター、スイッチ回路を備え、
前記アナログ/デジタル転換回路は、インプット信号を転換し、デジタル信号を発生し、前記キャパシターは、デジタル信号を受信し、駆動信号を発生し、ディスプレーパネルを駆動し、
前記スイッチ回路は、スイッチ信号に基づき、前記アナログ/デジタル転換回路を制御し、デジタル信号をキャパシターに伝送し、或いは前記キャパシターは、駆動信号をディスプレーパネルに伝送することを特徴とするキャパシター駆動を利用するディスプレーパネルの駆動回路。
【請求項２】
前記キャパシターは前記ディスプレーパネルを駆動し、前記ディスプレーパネルの画素キャパシターを駆動することを特徴とする請求項１に記載のキャパシター駆動を利用するディスプレーパネルの駆動回路。
【請求項３】
前記駆動回路はさらに、ガンマ(Gamma)回路を備え、
前記ガンマ(Gamma)回路は、ガンマ曲線に基づき、前記インプット信号を発生し、前記アナログ/デジタル転換回路に伝送することを特徴とする請求項１に記載のキャパシター駆動を利用するディスプレーパネルの駆動回路。
【請求項４】
前記駆動回路は、前記ディスプレーパネルのソースドライバー回路に応用することを特徴とする請求項１に記載のキャパシター駆動を利用するディスプレーパネルの駆動回路。
【請求項５】
前記スイッチ周波数は、タイミングコントロール回路に制御されることを特徴とする請求項１に記載のキャパシター駆動を利用するディスプレーパネルの駆動回路。
【請求項６】
前記キャパシターが、デジタル信号を受信すると、前記デジタル信号は、前記キャパシターに対して充電を行うことを特徴とする請求項１に記載のキャパシター駆動を利用するディスプレーパネルの駆動回路。
【請求項７】
前記キャパシターが、前記ディスプレーパネルを駆動すると、前記駆動信号は、前記ディスプレーパネルに対して放電を行うことを特徴とする請求項１に記載のキャパシター駆動を利用するディスプレーパネルの駆動回路。
【請求項８】
前記キャパシターが、デジタル信号を受信すると、前記キャパシターは、前記アナログ/デジタル転換回路の第一端と第二端との間に接続することを特徴とする請求項１に記載のキャパシター駆動を利用するディスプレーパネルの駆動回路。
【請求項９】
前記キャパシターが、前記ディスプレーパネルを駆動すると、前記キャパシターは、前記アナログ/デジタル転換回路の第三端と前記ディスプレーパネルとの間に接続することを特徴とする請求項１に記載のキャパシター駆動を利用するディスプレーパネルの駆動回路。
【請求項１０】
前記駆動回路は、ハンドヘルド装置のディスプレーパネルに応用することを特徴とする請求項１に記載のキャパシター駆動を利用するディスプレーパネルの駆動回路。
【発明の詳細な説明】
【技術分野】
【０００１】
本発明は駆動回路に関し、特にキャパシター駆動を利用するディスプレーパネルの駆動回路に関する。
【背景技術】
【０００２】
テクノロジーが盛んに発展している現代は、IT製品にも、常に新たな顔ぶれが加わり、大衆のさまざまなニーズを満たしている。当初、モニターの多くは、陰極線管(Cathode Ray Tube，CRT)モニターであったが、体積と消費電力量が大きく、しかも放射線を発するため、長時間モニターを使用するユーザーにとっては、身体に危害が及ぶ可能性があった。そのため、現在市販されているモニターは、徐々に液晶モニター(Liquid Crystal Display，LCD)に取って代わりつつある。
【０００３】
液晶モニターは、薄くコンパクトで、放射線量と消費電力量が低い等の長所があるため、現在では市場の主流となっている。さらに、近年、パネル生産技術の躍進で、タッチパネルの生産コストは大幅に低下し、タッチパネルは、携帯電話端末、デジカメ、デジタル音樂プレーヤー(MP３)、PDA、GPS等小型電子製品を含む一般の民生用電子製品に応用され始めている。これら電子製品において、タッチパネルは、表示スクリーン上に配置されている。これにより、使用者は、インタラクティブなインプット操作が可能で、マンマシーンインターフェースの親和性を高め、インプット操作の効率を大幅に向上させることができる。
【０００４】
携帯電話端末は、単一電源であるため、それにおける応用において、２.３V〜４.６V等のより大きな範囲の電源供給規格に適用し、またディスプレーパネルを駆動する駆動チップの面積を縮小するため、メーカーは、同時に２種のニーズを満たすことができる駆動方式を提出している。一般に、表示装置のソースドライバー回路(Source driver)は、演算増幅器(Op-amp)或いはレジスター分圧の方式を使用して、ディスプレーパネルを駆動する。しかし、駆動チップの構造そのものが、電源システムとDC-DCコンバーター(DC-DC converter)を必要とするため、駆動チップの構造は複雑で、しかもパーツを外付けしなければならず、さらにはより高ビット数の影像ニーズ、或いはRGB３本ガンマ(Gamma)曲線を併用する時には、ガンマグレースケール電圧が増大するため、デジタル/アナログ転換回路の面積は格段に増大し、駆動チップのコストを拡大させてしまう。
【０００５】
本発明は、従来のディスプレーパネルの駆動回路の上記した欠点に鑑み、キャパシター駆動を利用するディスプレーパネルの駆動回路を開発し、表示装置の電源システムをより大きい電圧範囲の応用において簡略化し、しかも高いビット数の影像ニーズにおいては、ソースドライバー回路の面積を効果的に縮小し、コストを節減するためになされたものである。
【発明の概要】
【発明が解決しようとする課題】
【０００６】
本発明が解決しようとする第一の課題は、高いビット数の影像ニーズにおいてソースドライバー回路の面積を効果的に縮小し、これによりコストを節減することができるキャパシター駆動を利用するディスプレーパネルの駆動回路を提供することである。
本発明が解決しようとする第二の課題は、表示装置の電源システムは、より大きい電圧範囲の応用において簡略化されるキャパシター駆動を利用するディスプレーパネルの駆動回路を提供することである。
【課題を解決するための手段】
【０００７】
上記課題を解決するため、本発明は下記のキャパシター駆動を利用するディスプレーパネルの駆動回路を提供する。
キャパシター駆動を利用するディスプレーパネルの駆動回路は、アナログデジタル転換回路、キャパシター、スイッチ回路を備え、
該アナログ/デジタル転換回路は、インプット信号を転換し、デジタル信号を発生し、
該キャパシターは、該デジタル信号を受信し、駆動信号を発生し、ディスプレーパネルを駆動し、
該スイッチ回路は、スイッチ周波数に基づき、該アナログ/デジタル転換回路を制御し、該デジタル信号を該キャパシターに伝送し、或いは該キャパシターは、該駆動信号を該ディスプレーパネルに伝送し、
こうして、キャパシター駆動の方式により、該ディスプレーパネルを駆動し、高いビット数の影像ニーズにおいて、ソースドライバー回路の面積を効果的に縮小することができ、これによりコストを節減することができ、
しかも、表示装置の電源システムは、より大きい電圧範囲の応用において簡略化される。
【発明の効果】
【０００８】
本発明キャパシター駆動を利用するディスプレーパネルの駆動回路は、高いビット数の影像ニーズにおいてソースドライバー回路の面積を効果的に縮小し、これによりコストを節減することができ、また表示装置の電源システムは、より大きい電圧範囲の応用において簡略化される。
【図面の簡単な説明】
【０００９】
【図１】本発明第一実施例ソースドライバーにおいて、ソースドライバー回路のブロックチャートである。
【図２】本発明ディスプレーパネルにおいて、ソース極線の寄生RC等価回路図である。
【図３】本発明第一実施例ソースドライバーにおいて、駆動ユニットのブロックチャート図である。
【図４】本発明第一実施例ソースドライバーにおいて、駆動ユニットの動作表示図である。
【図５】本発明第二実施例駆動ユニットの動作表示図である。
【発明を実施するための形態】
【００１０】
以下に図面を参照しながら本発明を実施するための最良の形態について詳細に説明する。
【実施例】
【００１１】
本発明第一実施例ソースドライバーにおいて、ソースドライバー回路のブロックチャートである図１に示すように、ソースドライバー回路１は、ガンマ(Gamma)回路１０、第一駆動ユニット１２、第二駆動ユニット１４、第三駆動ユニット１６、第四駆動ユニット１８を備える。ガンマ回路１０は、ガンマ曲線に基づき、複数のインプット信号を発生する。各インプット信号は、異なるランクの電圧信号で、ガンマ回路１０は、各インプット信号を、第一駆動ユニット１２、第二駆動ユニット１４、第三駆動ユニット１６、第四駆動ユニット１８まで伝送する。第一駆動ユニット１２、第二駆動ユニット１４、第三駆動ユニット１６、第四駆動ユニット１８は、それぞれデータ信号と各インプット信号に基づき、駆動信号を発生し、各駆動信号をディスプレーパネル２０に伝送し、ディスプレーパネル２０を駆動する。第一駆動ユニット１２、第二駆動ユニット１４、第三駆動ユニット１６、第四駆動ユニット１８は、それぞれ駆動信号を発生し、ディスプレーパネル２０の各行画素を制御する。
【００１２】
図１に合わせて、本発明ディスプレーパネルにおいて、ソース極線の寄生RC等価回路図である図２に示すように、ディスプレーパネル中の各ソース極線上の薄膜トランジスタ(Thin-Flim Transistor，TFT)の画素は、レジスター２００が直列接続するキャパシター２０２に等価である。これは、該項技術領域の習熟者にとって公知の技術であるため、詳述しない。
【００１３】
本発明第一実施例ソースドライバーにおいて、駆動ユニットのブロックチャートである図３に示すように、本発明のキャパシター駆動を利用するディスプレーパネルの駆動ユニットは、アナログ/デジタル転換回路１２０、キャパシター１２２、切換スイッチ１２４を備える。アナログ/デジタル転換回路１２０は、インプット信号を転換し、デジタル信号を発生し、ガンマ回路１０が発生した各インプット信号を受け取り、データ信号に基づき、デジタル信号を発生し、キャパシター１２２は、デジタル信号を受け取り、駆動信号を発生し、こうしてディスプレーパネル２０を駆動する。切換スイッチ１２４は、スイッチ信号に基づき、アナログ/デジタル転換回路１２０を制御し、デジタル信号をキャパシター１２２へと伝送し、或いはキャパシター１２２を制御し、駆動信号をディスプレーパネル２０へと伝送する。これにより、切換スイッチ１２４は、タイミングコントロール回路(図示なし)が発生したスイッチ信号を受取り、切換スイッチ１２４は、スイッチ信号に基づき、スイッチキャパシター１２２は、充電と放電を行い、ディスプレーパネル２０を駆動する。こうして本発明は、キャパシター１２２の駆動の方式により、ディスプレーパネル２０を駆動し、ディスプレーパネル２０の駆動に、演算増幅器、或いはレジスター分圧の方式を使用することを回避する。こうして、高いビット数の影像ニーズにおいて、ソースドライバー回路の面積を効果的に縮小することができ、こうしてコストを節減することができる。しかも、表示装置の電源システムは、より大きい電圧範囲の応用において簡略化される。以下に、切換スイッチ１２４が、いかにしてキャパシター１２２をスイッチし、ディスプレーパネル２０を駆動するかについて、説明を行う。
【００１４】
図４に合わせて、本発明第一実施例ソースドライバーにおいて、駆動ユニットの動作表示図である図５に示すように、切換スイッチ１２４は、スイッチ信号に基づき、先ず、スイッチキャパシター１２２は、アナログ/デジタル転換回路１２０が発生したデジタル信号を受け取る。これにより、アナログ/デジタル転換回路１２０は先ず、キャパシター１２２に対して充電を行い、駆動信号を発生する。アナログ/デジタル転換回路１２０は、第一端、第二端、第三端を備える。アナログ/デジタル転換回路１２０が、キャパシター１２２に対して充電を行うと、キャパシター１２２は、アナログ/デジタル転換回路１２０の第一端と第二端との間に接続し、図４に示すように、キャパシター１２２は、電荷を貯蔵し、駆動信号を発生する。切換スイッチ１２４がスイッチ信号に基づくと、キャパシター１２２は、駆動信号をディスプレーパネル２０に伝送し、ディスプレーパネル２０を駆動する。すなわち、切換スイッチ１２４は、スイッチ信号に基づき、キャパシター１２２をスイッチし、アナログ/デジタル転換回路１２０の第三端とディスプレーパネル２０との間に接続させる。これにより、キャパシター１２２が貯蔵した電荷が発生する駆動信号を、ディスプレーパネル２０のストレージキャパシター(図示なし)に伝送し、ディスプレーパネル２０を駆動する。こうして、本発明は、ディスプレーパネル２０の駆動に、演算増幅器、或いはレジスター分圧の方式を使用することを回避する。これにより、高いビット数の影像ニーズにおいて、ソースドライバー回路の面積を効果的に縮小することができ、こうしてコストを節減することができる。しかも、表示装置の電源システムは、より大きい電圧範囲の応用において簡略化される。
【００１５】
上記したように、本発明のキャパシター駆動を利用するディスプレーパネルの駆動回路は、アナログ/デジタル転換回路により、インプット信号を転換し、デジタル信号を発生する。さらに、デジタル信号をキャパシターに伝送し、駆動信号を発生し、ディスプレーパネルを駆動する。スイッチ回路は、スイッチ信号に基づき、アナログ/デジタル転換回路を制御し、デジタル信号をキャパシターに伝送し、或いはキャパシターは、駆動信号をディスプレーパネルに伝送する。こうして、キャパシター駆動の方式により、ディスプレーパネル２０を駆動し、こうして高いビット数の影像ニーズにおいて、ソースドライバー回路の面積を効果的に縮小することができ、コストを節減することができる。しかも、表示装置の電源システムは、より大きい電圧範囲の応用において簡略化される。
【００１６】
上記の本発明名称と内容は、本発明技術内容の説明に用いたのみで、本発明を限定するものではない。本発明の精神に基づく等価応用或いは部品（構造）の転換、置換、数量の増減はすべて、本発明の保護範囲に含むものとする。
【産業上の利用可能性】
【００１７】
本発明は特許請求の要件である新規性を備え、従来の同類製品に比べ十分な進歩を有し、実用性が高く、社会のニーズに合致しており、産業上の利用価値は非常に大きい。
【符号の説明】
【００１８】
１  ソースドライバー回路
１０  ガンマ回路
１２  第一駆動ユニット
１２０  アナログ/デジタル転換回路
１２２  キャパシター
１２４  切換スイッチ
１４  第二駆動ユニット
１６  第三駆動ユニット
１８  第四駆動ユニット
２０  ディスプレーパネル
２００  レジスター
２０２  キャパシター
【図１】
2010217888.tif 000003
【図２】
2010217888.tif 000004
【図３】
2010217888.tif 000005
【図４】
2010217888.tif 000006
【図５】
2010217888.tif 000007